(57)【特許請求の範囲】
【請求項１】
複数のロッド状部材の間および周囲に存在する媒体を測定対象とするインピーダンス計測センサであって、
前記各ロッド状部材の表面全体を励起電極または計測電極として機能させるように導電部材で構成したロッド状部材と、
隣接する前記ロッド状部材の間に配設されるとともに、計測電極または励起電極として機能させるように構成したワイヤ電極とを有することを特徴とするインピーダンス計測センサ。
【請求項２】
請求項１に記載するインピーダンス計測センサにおいて、
前記ロッド状部材の一部は、前記励起電極の基準電位と同じ電位に保持されたグランド電極として機能させるように構成したことを特徴とするインピーダンス計測センサ。
【請求項３】
請求項１または請求項２に記載するインピーダンス計測センサにおいて、
前記ワイヤ電極は、相互に平行に配設された複数本のワイヤからなることを特徴とするインピーダンス計測センサ。
【請求項４】
請求項１〜請求項３の何れか一つに記載するインピーダンス計測センサにおいて、
前記ワイヤ電極は、相互に所定の間隔離隔させるとともに、相互に交叉する第１のワイヤ電極および第２のワイヤ電極で構成したことを特徴とするインピーダンス計測センサ。
【請求項５】
請求項１〜請求項４の何れか一つに記載するインピーダンス計測センサにおいて、
前記ワイヤ電極はロッド状部材の軸方向に関して複数個所に配設されて多段となっていることを特徴とするインピーダンス計測センサ。
【請求項６】
請求項５に記載するインピーダンス計測センサにおいて、
前記各ロッド状部材にはそれぞれの軸方向にクロストークを抑制するための絶縁部が形成されていることを特徴とするインピーダンス計測センサ。
【請求項７】
請求項１〜請求項６の何れか一つに記載するインピーダンス計測センサにおいて、
前記ワイヤ電極は、熱電対の素線または熱電対のシース材を含む計測プローブの導電部材で兼用させたことを特徴とするインピーダンス計測センサ。
【請求項８】
請求項１〜請求項７の何れか一つに記載するインピーダンス計測センサにおいて、
前記ロッド状部材に装着された計測プローブの導電部である一部を前記励起電極、計測電極またはグランド電極の何れか一つとして機能させるように構成したことを特徴とするインピーダンス計測センサ。
【請求項９】
請求項１〜請求項８の何れか一つに記載するインピーダンス計測センサと、
インピーダンス計測センサの前記励起電極および計測電極間の前記媒体を介したインピーダンスに基づき、計測位置に存在するインピーダンスが異なる前記媒体中の複数の物質の存在量を演算する演算処理部とを有することを特徴とするインピーダンス計測装置。
【請求項１０】
請求項９に記載するインピーダンス計測装置において、
前記ロッド状部材またはワイヤ電極を通電により発熱させるための電圧供給手段を有することを特徴とするインピーダンス計測装置。
【請求項１１】
請求項１０に記載するインピーダンス計測装置において、
前記媒体の存在量を計測する計測モードと、前記ロッド状部材またはワイヤ電極を通電する通電モードとの何れか一方が選択されるように制御する制御手段を有することを特徴とするインピーダンス計測装置。
【発明の詳細な説明】
【技術分野】
【０００１】
本発明はインピーダンス計測センサおよびインピーダンス計測装置に関し、特に多数のロッド状部材を集合させた、例えば原子炉内の燃料被覆管である各ロッド状部材の間を流通する流体を測定対象とする場合に適用して有用なものである。
【背景技術】
【０００２】
原子炉の燃料棒被覆管の間を流れる冷却水の状況を把握することは原子炉の熱設計上肝要である。かかる熱設計を最適に行うためには前記冷却水の状態（気液の存在率等）や挙動（流速、流れ方向）を的確に把握することが前提となる。前記冷却水の状態（気液の存在率等）や挙動（流速、流れ方向）を的確に把握するには、冷却水の流れ方向（燃料棒被覆間の軸方向）に直交する断面内のなるべく多くの点における情報を収集する必要がある。
【０００３】
ところが前述の如き断面内の多点における流体の状態等を的確に計測する計測装置は存在しない。
【０００４】
なお、管路を流れる流体の断面内の多点における気液二相流中の液体と気体の存在量の時系列情報を得るためのセンサとして非特許文献１に示すようなワイヤメッシュセンサが知られている。かかるワイヤメッシュセンサは、図１３（ａ）に示すように、流体が流れる管路１の軸方向において所定の距離を隔てて交叉させるとともに、図１３（ｂ）に示すように管路１の断面内で正方格子状に配設された第１のワイヤ電極２および第２のワイヤ電極３を有しており、第１のワイヤ電極２を励起電極および第２のワイヤ電極３を計測電極とするインピーダンスセンサである。ワイヤ同士は近接しているが、接触はしていない。以下は便宜的に交点という。
【０００５】
かかるワイヤメッシュセンサを有するインピーダンス計測センサは、図１４に示すように、第１のワイヤ電極２で形成する入力線にはスイッチＳ１、Ｓ２，Ｓ３，Ｓ４により一列目から順に励起パルスＰＩが印加される。ここで、励起パルスＰＩは電源４から切替スイッチＳＰを介して供給される。
【０００６】
上述の如き励起パルスＰＩの印加に伴い、第１のワイヤ電極２および第２のワイヤ電極３の交点（[１１]，[２１]，[３１]，[４１]）・・・（[１４]，[２４]，[３４]，[４４]）におけるインピーダンスは、各交点（[１１]，[２１]，[３１]，[４１]）・・・（[１４]，[２４]，[３４]，[４４]）を短絡する流体の状態に応じて変化する。この結果、第２のワイヤ電極３で形成する出力線には各交点（[１１]，[２１]，[３１]，[４１]）・・・（[１４]，[２４]，[３４]，[４４]）のインピーダンスを反映した計測信号ＰＯ１、ＰＯ２、ＰＯ３、ＰＯ４が各行毎に出力される。いま、スイッチＳ４を閉にすることによってスイッチＳ４に接続された第１のワイヤ電極２に励起パルスＰＩが印加された場合を考える。この場合において、交点[２４]に気泡５が存在する一方、他の交点[１４]，[３４]，[４４]近傍が液体で満たされていると、交点[２４]におけるインピーダンスが、他の交点[１４]，[３４]，[４４]におけるインピーダンスよりも小さくなるので、この交点[２４]に対応する第２のワイヤ電極３を介して得られる計測信号ＰＯ２は他の計測信号ＰＯ１，ＰＯ３，ＰＯ４よりも低いインピーダンスとして検出される。すなわち、計測信号ＰＯ１、ＰＯ３、ＰＯ４の平均レベルは交点（[１１]，[２１]，[３１]，[４１]）・・・（[１４]，[２４]，[３４]，[４４]）における気液二相流における液体（例えば水）と気体（気泡５）の存在量を反映したものとなる。この結果、計測信号ＰＯ１〜ＰＯ４を演算処理部６で処理することにより各交点（[１１]，[２１]，[３１]，[４１]）・・・（[１４]，[２４]，[３４]，[４４]）における、例えば気液二相流における気液の割合等、所望の物質の存在量を演算により計測することができる。
【先行技術文献】
【非特許文献】
【０００７】
【非特許文献１】H.Pietruske.H.-M.Prasser/Flow Measurement and Instrumentation 18(2007) 87-94
【発明の概要】
【発明が解決しようとする課題】
【０００８】
ところが、上述の如きワイヤメッシュセンサは管路を流れる流体を測定対象とする場合に限定され、原子炉の燃料棒被覆管の間を流れる冷却水を測定対象とする場合には適用できない。さらに一般化して、多数のロッド状部材を集合させたロッド状部材集合体の前記各ロッド状部材の間をそれぞれの軸方向に沿い流通する流体を測定対象とする場合には適用できない。すなわち、各ロッド状部材の間に存在する流体を含む媒体を測定対象とする場合には適用できない。
【０００９】
本発明は、上記従来技術に鑑み、ロッド状部材間に存在する媒体を測定対象とする場合に適用してインピーダンスが異なる複数種類の物質の存在量等を合理的な装置構成で的確に計測し得るインピーダンス計測センサおよびインピーダンス計測装置を提供することを目的とする。
【課題を解決するための手段】
【００１０】
上記目的を達成する本発明の第１の態様は、複数のロッド状部材の間および周囲に存在
する媒体を測定対象とするインピーダンス計測センサであって、前記各ロッド状部材の表面全体を励起電極または計測電極として機能させるように導電部材で構成したロッド状部材と、隣接する前記ロッド状部材の間に配設されるとともに、計測電極または励起電極として機能させるように構成したワイヤ電極とを有することを特徴とするインピーダンス計測センサにある。
【００１１】
本態様によれば既存の構造体であるロッド状部材を電極として使用してロッド状部材間および周囲に存在する媒体に起因するインピーダンスを多点で計測することができる。また、このようにロッド状部材を励起電極または計測電極の何れか一つとして使用した場合には電極面積の増大を図ることができ、計測感度を向上させることができる。
【００１２】
本発明の第２の態様は、第１の態様に記載するインピーダンス計測センサにおいて、前記ロッド状部材の一部は、前記励起電極の基準電位と同じ電位に保持されたグランド電極として機能させるように構成したことを特徴とするインピーダンス計測センサにある。
【００１３】
本態様によれば、外乱の影響を可及的に除去することができ、高精度のインピーダンス計測を行うことが可能になる。
【００１４】
本発明の第３の態様は、第１または第２の態様に記載するインピーダンス計測センサにおいて、前記ワイヤ電極は、相互に平行に配設された複数本のワイヤからなることを特徴とするインピーダンス計測センサにある。
【００１５】
本態様によれば、隣接するロッド状部材間の間隙が広い場合に有効である。すなわち、前記間隙に、例えば２本のワイヤ電極を配設することにより各ロッド状部材とそれぞれに対応するワイヤ電極との間の間隙を低減でき、ロッド状部材表面近傍の局所インピーダンスを高精度に計測することができる。
【００１６】
本発明の第４の態様は、第１〜第３の態様の何れか一つに記載するインピーダンス計測センサにおいて、前記ワイヤ電極は、相互に所定の間隔離隔させるとともに、相互に交叉する第１のワイヤ電極および第２のワイヤ電極で構成したことを特徴とするインピーダンス計測センサにある。
【００１７】
本態様によれば、第１のワイヤ電極と第２のワイヤ電極との間、第１のワイヤ電極と各ロッド状部材との間または第２のワイヤ電極と各ロッド状部材との間のいずれかを計測点とすることができる。この結果、計測点の選択の自由度が増し、要望に応じた所定の各点でのインピーダンス計測を的確に行うことができる。
【００１８】
本発明の第５の態様は、第１〜第４の態様の何れか一つに記載するインピーダンス計測センサにおいて、前記ワイヤ電極はロッド状部材の軸方向に関して複数個所に配設されて多段となっていることを特徴とするインピーダンス計測センサにある。
【００１９】
本態様によれば、各ロッド状部材間に存在する媒体の多点におけるインピーダンスを、前記ロッド状部材の軸方向に関する複数個所においてそれぞれ計測することができる。
【００２０】
本発明の第６の態様は、第５の態様に記載するインピーダンス計測センサにおいて、前記各ロッド状部材にはそれぞれの軸方向にクロストークを抑制するための絶縁部が形成されていることを特徴とするインピーダンス計測センサにある。
【００２１】
本態様によれば、前記ロッド状部材の軸方向に関して複数個所においてそれぞれ形成されるインピーダンス計測センサの相互干渉を抑制して、空間分解能が高くかつ計測精度が高いインピーダンス測定を的確に行うことができる。
【００２２】
本発明の第７の態様は、第１〜第６の態様の何れか一つに記載するインピーダンス計測センサにおいて、前記ワイヤ電極は、熱電対の素線または熱電対のシース材を含む計測プローブの導電部材で兼用させたことを特徴とするインピーダンス計測センサにある。
【００２３】
本態様によれば、熱電対等の計測プローブの導電部を利用して、所定のワイヤ電極を形成することができ、その分装置構成の合理化を図ることができる。すなわち、温度等、計測プローブが本来的に対象とする物理量とともに、ロッド状部材間の媒体のインピーダンス計測に基づき前記媒体に含まれる物質の存在率等も計測することができる。
【００２４】
本発明の第８の態様は、第１〜第７の態様の何れか一つに記載するインピーダンス計測センサにおいて、前記ロッド状部材に装着された計測プローブの導電部である一部を前記励起電極、計測電極またはグランド電極の何れか一つとして機能させるように構成したことを特徴とするインピーダンス計測センサにある。
【００２５】
本態様によれば、計測プローブの導電部を利用して電極を形成することができるので、第７の態様と同様に、計測プローブが本来的に対象とする物理量とともに、ロッド状部材間の媒体のインピーダンス計測に基づき前記媒体に含まれる物質の存在率等も計測することができる。
【００２６】
本発明の第９の態様は、第１〜第８の態様の何れか一つに記載するインピーダンス計測センサと、インピーダンス計測センサの前記励起電極および計測電極間の前記媒体を介したインピーダンスに基づき、計測位置に存在するインピーダンスが異なる前記媒体中の複数の物質の存在量を演算する演算処理部とを有することを特徴とするインピーダンス計測装置にある。
【００２７】
本態様によれば、各ロッド状部材の間および周囲に存在する媒体中の複数の物質の存在比を、前記媒体内の多点において、既存の構造体であるロッド状部材を電極として使用しつつ良好に計測することができる。
【００２８】
本発明の第１０の態様は、第９の態様に記載するインピーダンス計測装置において、前記ロッド状部材またはワイヤ電極を通電により発熱させるための電圧供給手段を有することを特徴とするインピーダンス計測装置にある。
【００２９】
本態様によれば、被測定対象が発熱体である場合に、その発熱状態を容易に再現し、かかる発熱状態での媒体の存在量に関する情報を得ることができる。
【００３０】
本発明の第１１の態様は、第１０の態様に記載するインピーダンス計測装置において、前記媒体の存在量を計測する計測モードと、前記ロッド状部材またはワイヤ電極を通電する通電モードとの何れか一方が選択されるように制御する制御手段を有することを特徴とするインピーダンス計測装置にある。
【００３１】
本態様によれば、通電によりロッド状部材またはワイヤ電極に形成される電位変化の影響を受けることなく所定の媒体の存在量に関する情報を得ることができる。
【発明の効果】
【００３２】
本発明によれば、ロッド状部材の間および周囲に存在する媒体を測定対象として該媒体中の多点においてインピーダンスが異なる複数種類の媒体の存在量等を的確に計測することができる。この際、既存の構造体であるロッド状部材を電極として使用しているので、その分装置構成も合理的なものとなる。また、ロッド状部材で形成した電極ではその電極面積の増大を図ることができるので、計測感度の改善を図ることもできる。
【図面の簡単な説明】
【００３３】
【図１】本発明の第１の実施の形態に係るインピーダンス計測センサを示す模式図で、（ａ）は平面的に見た図、（ｂ）は（ａ）を側面から見た図である。
【図２】図１に示すインピーダンス計測センサを有するインピーダンス計測装置を示す模式図である。
【図３】本発明の第２の実施の形態に係るインピーダンス計測センサを示す模式図で、（ａ）は平面的に見た図、（ｂ）は（ａ）を側面から見た図である。
【図４】本発明の第３の実施の形態に係るインピーダンス計測センサを示す模式図で、（ａ）は平面的に見た図、（ｂ）は（ａ）を側面から見た図である。
【図５】本発明の第４の実施の形態に係るインピーダンス計測センサを示す模式図で、（ａ）は平面的に見た図、（ｂ）は（ａ）を側面から見た図である。
【図６】本発明の第５の実施の形態に係るインピーダンス計測センサを示す模式図で、（ａ）は平面的に見た図、（ｂ）は（ａ）を側面から見た図である。
【図７】本発明の他の実施の形態に係るインピーダンス計測センサを示す模式図で、（ａ）は平面的に見た図、（ｂ）は（ａ）を側面から見た図である。
【図８】本発明の他の実施の形態に係るインピーダンス計測センサを示す模式図で、（ａ）は平面的に見た図、（ｂ）は（ａ）を側面から見た図である。
【図９】本発明の他の実施の形態に係るインピーダンス計測センサを示す模式図で、（ａ）は平面的に見た図、（ｂ）は（ａ）を側面から見た図である。
【図１０】本発明の他の実施の形態に係るインピーダンス計測センサを示す模式図である。
【図１１】本発明の他の実施の形態に係るインピーダンス計測センサを示す模式図で、（ａ）は平面的に見た図、（ｂ）は（ａ）を側面から見た図である。
【図１２】本発明の他の実施の形態に係るインピーダンス計測センサを示す模式図で、（ａ）は平面的に見た図、（ｂ）は（ａ）を側面から見た図である。
【図１３】従来技術に係るインピーダンス計測センサを示す模式図である。
【図１４】図１３のインピーダンス計測センサを有するインピーダンス計測装置を示す模式図である。
【発明を実施するための形態】
【００３４】
以下、本発明の実施の形態を図面に基づき詳細に説明する。なお、各実施の形態において同一部分には同一番号を付し、重複する説明は省略する。
【００３５】
＜第１の実施の形態＞
図１は本発明の第１の実施の形態に係るインピーダンス計測センサを示す模式図で、（ａ）は平面的に見た図、（ｂ）は（ａ）を側面から見た図である。両図に示すように、ロッド状部材集合体１１は、軸方向が同一方向に揃えられた多数のロッド状部材１２を集合させて形成した既存の構造体であり、各ロッド状部材１２の間をそれぞれの軸方向に沿い流体が流通するように構成してある。本形態では各ロッド状部材１２を、インピーダンス計測センサの電極、すなわち励起電極、計測電極または励起電極の基準電位と同じ電位に保持されたグランド電極の何れか一つとして機能させるように構成してある。したがって、ロッド状部材１２は導電材料で形成した、例えば管路で形成してある。原子炉における燃料棒被覆管の集合体がこの種のロッド状部材集合体１１の好適な一例である。
【００３６】
隣接するロッド状部材１２の間にはワイヤ電極が配設されている。本形態におけるワイヤ電極は、ロッド状部材１２の軸方向に関して所定の距離離隔させるとともに、相互に交叉する第１のワイヤ電極１３および第２のワイヤ電極１４で構成してある。本形態ではロッド状部材１２が、図１（ａ）に示すように正方格子状に配設されているので、隣接するロッド状部材１２間に配設される第１および第２のワイヤ電極１３，１４も正方格子状に配設されており、励起電極、計測電極またはグランド電極の何れか一つとして機能させるように構成してある。
【００３７】
本形態に係るインピーダンス計測センサは、インピーダンス計測装置のセンサとして使用されるが、具体的な使用に際しては次のような３種類のモードが考えられる。第１のワイヤ電極１３を励起電極、第２のワイヤ電極１４を計測電極、ロッド状部材１２をグランド電極として機能させる第１のモード、ロッド状部材１２を励起電極、第１および第２のワイヤ電極１３を計測電極として機能させる第２のモード、第１の場合と第２の場合とを同時に使用する第３のモードの３種類である。
【００３８】
図２は本形態に係るインピーダンス計測センサを有するインピーダンス計測装置を示す模式図である。同図は、インピーダンス計測センサを第１のモードで使用した場合を示している。すなわち、第１のワイヤ電極１３がインピーダンス計測装置の入力線となり、第２のワイヤ電極１４が同出力線となる。したがって、この場合には第１のワイヤ電極１３と第２のワイヤ電極１４の交点（[１１]，[２１]，[３１]，[４１]）・・・（[１４]，[２４]，[３４]，[４４]）でのインピーダンスが計測される。なお、図２に示す場合は、スイッチＳ４が閉となることによりこれに接続された第１のワイヤ電極１３が入力線として選択され、交点[２４]に気泡５が存在する場合を示している。ここで、図の錯綜を避けるため明示はしていないが、ロッド状部材１２はグランドに接続してグランド電極として機能させている。
【００３９】
当該インピーダンス計測装置においても交点（[１１]，[２１]，[３１]，[４１]）・・・（[１４]，[２４]，[３４]，[４４]）の状態を反映したインピーダンスに基づく計測信号ＰＯ１〜ＰＯ４を演算処理部６で所定の演算処理をすることにより多数のロッド状部材１２の間を軸方向に沿い流通する流体内のインピーダンスが異なる複数種類の物質の存在量を的確に計測し得る。ここで得られるインピーダンス情報は、ロッド状部材１２の軸方向と直角な断面内に散在する多点に関するものである。すなわち、前記断面内の各点における、例えば気液二相流中の気液の存在割合、気液二相流の流動様式等、インピーダンスに基づく所望の物質の存在量の時系列情報を収集することができる。
【００４０】
一方、第２のモードでは、ロッド状部材１２がインピーダンス計測装置の入力線となり、第１および第２のワイヤ電極１３、１４が同出力線となる。したがって、この場合にはロッド状部材１２の外周面と第１のワイヤ電極１３との間およびロッド状部材１２の外周面と第２のワイヤ電極１４との間でのインピーダンスが計測される。第３のモードでは、第１のモードまたは第２のモードの何れかを選択し得る。これらの各モードは入力線、出力線に接続する電極を選択することで任意且つ容易に実現し得る。特に第３のモードはロッド状部材１２をグランド電極や励起電極など任意の電極として使用できるように接続すれば良い。
【００４１】
＜第２の実施の形態＞
図３は本発明の第２の実施の形態に係るインピーダンス計測センサを示す模式図で、（ａ）は平面的に見た図、（ｂ）は（ａ）を側面から見た図である。両図に示すように、本形態では各ワイヤ電極を各２本のワイヤで形成している。すなわち、第１および第２のワイヤ電極（１３Ａ，１３Ｂ）、（１４Ａ，１４Ｂ）は、ロッド状部材１２の軸方向に関して所定の距離離隔させるとともに、相互に平行に配設された各２本からなる。
【００４２】
本形態によれば、隣接するロッド状部材１２間の間隙が広い場合に有効である。すなわち、前記間隙に、２本づつの第１および第２のワイヤ電極１３Ａ，１３Ｂ，１４Ａ，１４Ｂを配設することにより各ロッド状部材１２とそれぞれに対応する第１および第２のワイヤ電極１３Ａ，１３Ｂ，１４Ａ，１４Ｂとの間の間隙を低減でき、ロッド状部材表面近傍の局所インピーダンスを高精度に計測することができる。
【００４３】
本形態に係るインピーダンス計測センサを使用したインピーダンス計測装置も、第１の実施の形態と同様に構築することができる。
【００４４】
＜第３の実施の形態＞
図４は本発明の第３の実施の形態に係るインピーダンス計測センサを示す模式図で、（ａ）は平面的に見た図、（ｂ）は（ａ）を側面から見た図である。両図に示すように、本形態は複数組（図では３組）の第１および第２のワイヤ電極（１３１，１３２，１３３）、（１４１，１４２，１４３）を有する。すなわち、第１および第２のワイヤ電極（１３１，１３２，１３３）、（１４１，１４２，１４３）は、ロッド状部材１２の軸方向に関して複数個所（図では３個所）に配設されて多段となっている。
【００４５】
本形態によれば、各ロッド状部材１２間を流れる流体に起因するロッド状部材１２の断面方向の多点におけるインピーダンスを、ロッド状部材１２の軸方向に関する複数個所においてそれぞれ計測することができる。すなわち、例えばロッド状部材１２の軸方向に対する気液二相流の空間変化や流速等、インピーダンスに基づく所望の物質の存在量の時系列情報を収集することができる。
【００４６】
＜第４の実施の形態＞
図５は本発明の第４の実施の形態に係るインピーダンス計測センサを示す模式図で、（ａ）は平面的に見た図、（ｂ）は（ａ）を側面から見た図である。両図に示すように、本形態における各ロッド状部材１２にはそれぞれの軸方向に関する途中に絶縁部１５Ａ，１５Ｂが形成されている。
【００４７】
本形態によれば、ロッド状部材１２の軸方向に関して複数個所（図では２個所）においてそれぞれ形成されるインピーダンス計測センサの相互干渉（クロストーク）を防止して高精度なインピーダンス測定を的確に行うことができる。すなわち、各段で独立したインピーダンス計測センサ間を絶縁部１５Ａ，１５Ｂで隔離することにより、特定の段のインピーダンス計測センサの信号が他の段のインピーダンス計測センサの信号に回り込んで影響を与える現象を可及的に防止することができる。
【００４８】
本形態に係るインピーダンス計測センサを使用したインピーダンス計測装置は、第３の実施の形態と同様に構築することができる。
【００４９】
＜第５の実施の形態＞
図６は本発明の第５の実施の形態に係るインピーダンス計測センサを示す模式図で、（ａ）は平面的に見た図、（ｂ）は（ａ）を側面から見た図である。本形態はロッド状部材に装着された熱電対等、他の計測プローブの構成部材を電極として兼用した場合である。すなわち、図６（ａ）および（ｂ）に示すように、ロッド状部材集合体６１を形成するロッド状部材６２の中には、その表面にシース熱電対６５や絶縁被覆した導線を埋設した構造のものがあるので、この場合のシース熱電対６５の感温部先端や導線先端等の一部を電極として利用することも可能である。本形態は、シース熱電対６５の感温部先端や導線先端等の一部を電極として利用したものである。この結果、温度計測等の機能を維持しつつ所定のインピーダンス計測も行わせることができる。
【００５０】
本形態に係るインピーダンス計測センサを使用したインピーダンス計測装置も、第１の実施の形態と同様に構築することができる。
【００５１】
＜他の実施の形態＞
上述の如く本発明の各実施の形態を説明したが、本発明はこれらに限定されるものでは勿論ない。既存の構造物であるロッド状部材を励起電極または計測電極として機能させることができ、ロッド状部材の間の媒体を測定対象としてそのインピーダンスを計測し、これに基づき媒体中の多点における物質の存在量等を計測するセンサであればそれ以上の限定はない。したがって、上述の各実施の形態の如くロッド状部材の軸方向に沿い流通する流体を測定対象として、ロッド状部材集合体の軸方向に直交する断面内の多点で流体のインピーダンス情報を得ることができる構成に限る必要はない。また、ロッド状部材間に少なくとも一本のワイヤ電極が配設されていれば良い。
【００５２】
さらに、上述の各実施の形態ではロッド状部材１２の一部（励起電極または計測電極として使用しないロッド状部材１２）は励起電極の基準電位と同じ電位に保持してグランド電極として機能させているが、必ずしもこのようにグランド電極として機能させる必要はない。電気的に浮いていても本願発明が目的とするインピーダンス計測は可能である。ただ、各実施の形態のようにグランド電極として機能させることにより外乱の影響を可及的に除去することができ、高精度のインピーダンス計測を行うことが可能になるという効果は得られる。また、上述の各実施の形態においては、ロッド状部材は軸方向が一方向に揃えられている直線状で同一径の管路として説明したが、これに限るものでもない。ロッド状部材１２であれば湾曲材、断面が楕円の管路、角材、帯板状等、何れの形状であっても良い。
【００５３】
第１のワイヤ電極１３および第２のワイヤ電極１４の配設態様も上記各実施の形態に限る必要はない。配設態様が異なる他の実施の形態を図面に基づき説明しておく。なお、各図は本発明の各実施の形態に係るインピーダンス計測センサを示す模式図で、（ａ）は平面的に見た図、（ｂ）は（ａ）を側面から見た図である。また、両図中図１等と同一部分には同一番号を付し、重複する説明は省略する。
【００５４】
図７に示す実施の形態はロッド状部材が稠密配列（高速炉や低減速炉は係る配列を採用している）となっている場合である。本形態においては、ロッド状部材集合体２１を形成するロッド状部材２２のうちの隣接するもの同士の間に形成される間隙の形状に合わせて第１および第２のワイヤ電極２３、２４が斜め（例えば６０度）に交叉するよう配設されている。
【００５５】
図８に示す実施の形態では、第２のワイヤ電極３４がロッド状部材１２の軸方向に沿うよう平行に配設されている。かかる配置構造であってもロッド状部材１２の軸方向に直交する断面内における多点での流体に起因する第１のワイヤ電極３３と第２のワイヤ電極３４との交点でのインピーダンスを計測することが可能である。
【００５６】
図９に示す実施の形態では、第１の電極４４がロッド状部材１２の外周に螺旋状に配設されている場合である。
【００５７】
図１０に示す実施の形態は、ロッド状部材１２の集合体の中に異径のロッド状部材５２が混在している場合である。これは、例えば原子炉における燃料被覆管集合体に混在するウォータロッドがその一例である。本形態において、ロッド状部材５２を電極として機能させる場合には、第１および第２のワイヤ電極１３、１４はロッド状部材５２に絶縁部材を介して支持されるとともに、これを貫通させて配設する。なお、ロッド状部材５２を電極として機能させない場合は、例えばセラミクス等の絶縁部材で形成しても構わない。
【００５８】
さらに、図示はしないが、第１および／または第２のワイヤ電極１３，１４は、熱電対の素線または熱電対のシース材を含む計測プローブの導電部材で兼用させることもできる。この場合には、熱電対等の計測プローブの導電部を利用して、所定のワイヤ電極を形成することができ、その分装置構成の合理化を図ることができる。
【００５９】
図１１に示す実施の形態は、ロッド状部材の軸方向に関し第１および第２のワイヤ電極を多段に形成した図４に示す第３の実施の形態の場合において、クロストークを低減することができるよう工夫したものである。この場合のクロストークとは一つの段のインピーダンス計測センサの信号が他の段のインピーダンス計測センサの信号に影響を与えることをいう。本形態では、ロッド状部材１２に軸方向に関して両側（図では上下両側）の段に挟まれた第１および第２のワイヤ電極１３２，１４２をグランド電位としてある。ここで、グランド電位とする電極対は第１および第２のワイヤ電極１３２，１４２を用いても良いが、独立したグランド電極を別途配設してもかまわない。そのときのグランド電極の形状は、ロッド状部材の間に存在する媒体の挙動に及ぼす影響を最小限に抑えられる限り、平板など他の形状で構成してもよい。
【００６０】
図１２に示す実施の形態は、図１１に示す実施の形態と同様に、図４に示す第３の実施の形態の場合において、クロストークを低減することができるよう工夫したものである。本形態では、同図に示すように、各段（図では３段）のインピーダンス計測センサを取り囲むようにグランド電極８５が設けてある。
【００６１】
なお、各実施の形態を任意に組み合わせて上記実施の形態に記載した以外のインピーダンス計測センサおよびインピーダンス計測装置を構築することができる。
【産業上の利用可能性】
【００６２】
本発明は、多数のロッド状部材を集合させたロッド状部材集合体である前記各ロッド状部材の間を流通する流体に起因するインピーダンスを計測する、たとえば原子力の燃料集合体を取り扱う産業分野で有効に利用することができる。
【符号の説明】
【００６３】
１１                    ロッド状部材集合体
１２                    ロッド状部材
１３，１３Ａ，１３Ｂ    第１のワイヤ電極
１４，１４Ａ，１４Ｂ    第２のワイヤ電極
１５，１５Ａ，１５Ｂ    絶縁部
【図１】
0005728764.tif 000002
【図２】
0005728764.tif 000003
【図３】
0005728764.tif 000004
【図４】
0005728764.tif 000005
【図５】
0005728764.tif 000006
【図６】
0005728764.tif 000007
【図７】
0005728764.tif 000008
【図８】
0005728764.tif 000009
【図９】
0005728764.tif 000010
【図１０】
0005728764.tif 000011
【図１１】
0005728764.tif 000012
【図１２】
0005728764.tif 000013
【図１３】
0005728764.tif 000014
【図１４】
0005728764.tif 000015